(57)【要約】      （修正有）【課題】男性用下着の構造を提供し、パンツが長形の袋体を結合する設計で、パンツは生殖器官の伸展空間を有し、男性が着用時に快適で、且つ、本来の造型を維持する。【解決手段】下着のパンツの構造を提供し、パンツは上方開口と下方両側の開口を有する。パンツの上方開口と下方開口間に長形の袋体を形成し、且つ、袋体長さはパンツの上方開口を超過し、これにより、勃起時の男性生殖器を収め、生殖器官の伸展空間を提供する。【選択図】図１
0003132841.tif 000002
【実用新案登録請求の範囲】
【請求項１】
上方開口と両下方開口を有し、前記上方開口と下方開口間に長形の袋体を形成し、且つ、前記袋体の長さは前記上方開口を超過することを特徴とするパンツの構造。
【請求項２】
前記パンツの上方開口周囲はベルトを縫い付け、前記ベルトは前記袋体後方に位置することを特徴とする請求項１に記載のパンツの構造。
【請求項３】
前記パンツの上方開口周囲はベルトを縫い付け、前記ベルトは前記袋体前方に位置することを特徴とする請求項１に記載のパンツの構造。
【請求項４】
前記長形袋体下半分は上半分より広いことを特徴とする請求項１に記載のパンツの構造。
【請求項５】
前記長形袋体内部両側は対応する保護辺を有することを特徴とする請求項１に記載のパンツの構造。
【請求項６】
前記長形袋体外部は円弧形曲面であることを特徴とする請求項１に記載のパンツの構造。
【考案の詳細な説明】
【技術分野】
【０００１】
本考案は男性用下着の構造に関するものであって、特に、パンツが長形の袋体を結合する設計で、パンツは生殖器官の伸展空間を有し、勃起時の生殖器官を収める構造に関する。
【背景技術】
【０００２】
一般の男性用下着は、トランクスとブリーフ型があり、トランクスはゆったり感を好む老人に、少年や成年男性は流行や大量の広告による影響で、ブリーフを好む傾向がある。ブリーフは図６で示されるように、体にフィットする形状で、下半身をぴったりと包み、男性生殖器を収めるので、生殖器は伸展空間がなく、運動時に、圧迫感があり自在でない。また、ブリーフは朝立ち時に、生殖器がブリーフからはみ出して、少年の成長期の生殖器官に悪い影響がある。また、一般の男性は着用時に不快感を感じ、故に、公知のブリーフに改良を加え、男性生殖器への圧迫を防止することが必要である。
【考案の開示】
【考案が解決しようとする課題】
【０００３】
本考案は、男性用下着の構造を提供し、パンツが長形の袋体を結合する設計で、パンツは生殖器官の伸展空間を有し、男性が着用時に快適で、且つ、本来の造型を維持することを目的とする。
【課題を解決するための手段】
【０００４】
上述の目的を達成するため、本考案のパンツ構造は、上方開口と下方両側の開口を有する。その特徴は、パンツの上方開口と下方開口間に長形の袋体を形成し、且つ、袋体長さはパンツの上方開口を超過し、これにより、勃起時の男性生殖器を収め、生殖器官の伸展空間を提供する。
【考案の効果】
【０００５】
本考案の構造は、パンツが長形の袋体を結合する設計で、パンツは生殖器官の伸展空間を有し、公知のパンツの勃起時にパンツに伸展空間がない際の不快感をなくし、着用時に快適で、本来の造型を維持する。
【考案を実施するための最良の形態】
【０００６】
図１、図２は、本考案のパンツ１０を示す図で、上方開口１１と下方両側の開口１２を有する。上方開口１１周囲は弾性ベルト１３を縫いつけ、パンツ１０上方開口１１と下方開口１２間に長形の袋体１４を形成し、勃起時の男性生殖器２０を収め、生殖器官の伸展空間を保有する。袋体１４の長さはパンツ１０の上方開口１１を超過し、ベルト１３は袋体１４の後方に位置し、袋体１４下半部は上半部より広く、且つ、袋体１４内部両側は対応する保護辺１５を有する。袋体１４外部は円弧形曲面で、男性の睾丸を快適に定位する以外に、パンツ１０の造型と適合する。
【０００７】
図１〜図３のように、本考案のパンツ１０は下半身に着用した後、男性生殖器２０は袋体１４内に位置し、袋体１４内側両保護辺１５により定位し、男性生殖器２０が袋体１４から伸出するのを防止し、着用して運動する時、パンツ１０に位置する男性生殖器２０は伸展空間を有するので、圧迫感がない。また、男性生殖器２０が勃起時に、生殖器２０が袋体１４内で完全に伸直し、ベルト１３に当たって側湾せず、発育中の少年の生殖器を正常な成長に促す。
【０００８】
図４で示されるように、本考案のもう一つのパンツ３０は、上方開口３１と両下方開口３２を有し、上方開口３１と両下方開口３２を有し、上方開口３１周囲は弾性ベルト３３を縫いつけ、パンツ３０上方開口３１と下方開口３２間に長形の袋体３４を形成し、袋体３４の長さはパンツ３０の上方開口３１を超過せず、ベルト３３は袋体３４前方に位置し、袋体３４下半部は上半部より広く、且つ、袋体３４内部両側は、保護辺３５を有する。袋体３４外部は円弧形曲面で、男性の睾丸を快適に定位する以外に、パンツ３０の造型と適合する。
【０００９】
図５で示されるように、本考案のもう一つのパンツ４０は、上方開口４１と両下方開口４２を有し、上方開口４１と両下方開口４２を有し、パンツ４０上方開口４１と両下方開口４２間の前抵部に、袋対４４を形成し、袋対４４の長さはパンツ４０の上方開口４１を超過せず、ベルト４３は袋体４４後方に位置し、袋体４４下半部は上半部より広く、且つ、袋体４４内部両側は、保護辺４５を有する。袋体４４外部は円弧形曲面で、男性の睾丸を快適に定位する以外に、パンツ３０の造型と適合する。
【００１０】
本考案のパンツ構造は、上方開口と両下方開口に形成された袋体が、内部両側に対応する保護辺を有し、且つ、長さは上方開口周囲のベルトを超過するので、男性生殖器の勃起時、充分な伸展空間を有し、男性睾丸を快適に定位させ、男性生殖器の長期に渡るベルトによる圧迫で側湾するのを矯正し、上下方開口間に袋体を設置するので、パンツ本来の外観造型を保有する。また、突出した長形袋体により生殖器の包覆性を増加し、運動時に自由自在で、また、このような造型は夫婦間の趣を増加する。
【００１１】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１２】
【図１】パンツの立体図
【図２】パンツ使用時の前視図
【図３】パンツ使用時の側視図
【図４】パンツのもう一つの立体図
【図５】パンツの更にもう一つの立体図
【図６】公知のパンツ使用時の前視図
【符号の説明】
【００１３】
１０  パンツ
３０  パンツ
４０  パンツ
１１  上方開口
３１  上方開口
４１  上方開口
１２  下方両側の開口
３２  下方両側の開口
４２  下方両側の開口
１３  弾性ベルト
３３  弾性ベルト
４３  弾性ベルト
１４  長形の袋体
３４  長形の袋体
４４  長形の袋体
１５  保護辺
３５  保護辺
４５  保護辺
２０  男性生殖器
【図１】
0003132841.tif 000003
【図２】
0003132841.tif 000004
【図３】
0003132841.tif 000005
【図４】
0003132841.tif 000006
【図５】
0003132841.tif 000007
【図６】
0003132841.tif 000008